【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
マルチキャスト伝送をネットワーク内のユーザ装置で受信するための方法であって、
マルチキャスト・グループに加入する第１のユーザ装置からのリクエストを中間装置で受信するステップと、
前記マルチキャスト・グループに関連するマルチキャスト・データ・パケットを識別するステップと、
前記中間装置からの前記マルチキャスト・データ・パケットの伝送を前記第１のユーザ装置によりモニタし、前記識別されたマルチキャスト・データ・パケットが、第２のユーザ装置と前記中間装置との間で既に設定されているユニキャスト・セッションにおいて前記中間装置と前記第２のユーザ装置との間に伝送されているかどうかを確かめるステップと、
もし前記第２のユーザ装置が、前記第２のユーザ装置と前記中間装置との間で既に設定されたユニキャスト・セッション内にあるならば、前記マルチキャスト・データ・パケットを前記第２のユーザ装置で処理するステップと、
既に設定されたユニキャスト・セッション／コネクション内に前記ユーザ装置がなく、且つ前記第２のユーザ装置と前記中間装置間の伝送を受信する視聴圏内に前記第１のユーザ装置がなければ、前記第１のユーザ装置と前記中間装置との間にユニキャスト・セッションを設定し、通常モードに切り替え、前記第１のユーザ装置によりマルチキャスト・データ・パケットを処理するステップと、
から成る、前記方法。
【請求項２】
前記第２のユーザ装置がまだ作動しているかどうか確かめるためにテストするステップと、
前記設定されたユニキャスト・セッションの１つでマルチキャスト・データ・パケットを受信し続けること、および前記中間装置により第３のユーザ装置を選択しそのユーザ装置と前記中間装置が新しいユニキャスト・セッションを設定すること、のうち１つを実行するステップと、
を含む、請求項１記載の方法。
【請求項３】
マルチキャスト・データ・パケットの前記伝送が、ワイヤレス・ローカルエリア・ネットワーク、ケーブル・ネットワーク、およびブロードキャスト・サービスをサポートする３Ｇセル状ネットワークのうちの１つで行われる、請求項１記載の方法。
【請求項４】
ユニキャスト・セッション内で作動しているユーザ装置を除く、マルチキャスト・グループ内のすべてのユーザ装置がモニタ・モードで動作し、前記ユニキャスト・セッション内で作動している前記ユーザ装置が通常モードで動作する、請求項１記載の方法。
【請求項５】
マルチキャスト・グループに加入するリクエストが、インターネット・グループ・マネージメント・プロトコルのリクエストで行われる、請求項１記載の方法。
【請求項６】
ネットワーク内でマルチキャスト伝送をユーザ装置で受信する方法であって、
中間装置と専用端末との間にユニキャスト・セッションを設定するステップと、
マルチキャスト・グループに関連するマルチキャスト・データ・パケットを識別するステップと、
前記ユーザ装置により、前記中間装置と前記専用端末との間の前記マルチキャスト・データ・パケットの伝送をモニタするステップと、
前記専用端末により、前記マルチキャスト・データ・パケットを処理するステップと、
から成る、前記方法。
【請求項７】
前記専用端末から目覚ましメッセージが受信されるかどうかを確かめるためにテストするステップと、
既に設定された前記ユニキャスト・セッションでマルチキャスト・データ・パケットを受信し続けること、および前記中間装置で別の専用端末を選択しその専用端末と前記中間装置が新しいユニキャスト・セッションを設定すること、のうち１つを実行するステップと、を更に具える、請求項６記載の方法。
【請求項８】
マルチキャスト／ブロードキャスト・データ・パケットの前記伝送が、ワイヤレス・ローカルエリア・ネットワーク、ケーブル・ネットワーク、およびブロードキャスト・サービスをサポートする３Ｇセル状ネットワークのうちの１つにおいて行われる、請求項６記載の方法。
【請求項９】
前記マルチキャスト・グループ内のすべてのユーザ装置がモニタ・モードで動作し、前記専用の端末が通常モードで動作する、請求項６記載の方法。
【請求項１０】
複数の伝送レートをサポートするために、複数のユニキャスト・セッションが設定される、請求項６記載の方法。
【請求項１１】
前記複数のユニキャスト・セッションが前記中間装置と複数の専用端末との間にある、請求項１０記載の方法。
【請求項１２】
前記中間装置が、アクセス・ポイント、ブリッジ、ルータ、およびブルータのうちの１つである、請求項６記載の方法。
【請求項１３】
ネットワークの中間装置内に組み込まれる、マルチキャストからユニキャストに変換する変換器であって、
マルチキャスト・グループに加入する第１のユーザ装置からのリクエストを中間装置で受信する手段と、
前記マルチキャスト・グループに関連するマルチキャスト・データ・パケットを識別する手段と、
前記中間装置からの前記マルチキャスト・データ・パケットの伝送を前記第１のユーザ装置でモニタし、第２のユーザ装置と前記中間装置との間に既に設定されたユニキャスト・セッションにおいて前記識別されたマルチキャスト・データ・パケットが前記中間装置と前記第２のユーザ装置との間で送信されているかどうかを確かめるための手段と、
前記第２のユーザ装置が、前記第２のユーザ装置と前記中間装置との間で既に設定された前記ユニキャスト・セッション内にあるならば、前記マルチキャスト・データ・パケットを前記第２のユーザ装置で処理する手段と、
既に設定されたユニキャスト・セッション内に前記第２のユーザ装置がなく、且つ前記第２のユーザ装置と前記中間装置間の伝送を受信する視聴圏内に前記第１のユーザ装置がなければ、前記第１のユーザ装置と前記中間装置との間にユニキャスト・セッションを設定し、通常モードに切り替え、そしてマルチキャスト・データ・パケットを前記第１のユーザ装置で処理するための手段と、
から成る、前記マルチキャストからユニキャストへの変換器。
【請求項１４】
前記第２のユーザ装置がまだ作動しているかどうかを確かめるためにテストする手段と、
前記設定されたユニキャスト・セッションの１つでマルチキャスト・データ・パケットを受信し続けること、および前記中間装置により第３のユーザ装置を選択しそのユーザ装置と前記中間装置が新しいユニキャスト・セッションを設定すること、のうち１つを実行する手段と、を更に具える、請求項１３記載のマルチキャストからユニキャストへの変換器。
【請求項１５】
マルチキャスト・データ・パケットの前記伝送が、ワイヤレス・ローカルエリア・ネットワーク、ケーブル・ネットワーク、およびブロードキャスト・サービスをサポートする３Ｇセル状ネットワークうちの１つにおいて行われる、請求項１３記載のマルチキャストからユニキャストへの変換器。
【請求項１６】
前記ユニキャスト・セッションで作動している前記ユーザ装置を除く、前記マルチキャスト・グループ内のすべてのユーザ装置がモニタ・モードで動作し、前記ユニキャスト・セッションで作動している前記ユーザ装置が通常モードで動作する、請求項１３記載のマルチキャストからユニキャストへの変換器。
【請求項１７】
前記マルチキャスト・グループに加入するリクエストが、インターネット・グループ・メナージメント・プロトコルのリクエストで行われる、請求項１３記載のマルチキャストからユニキャストへの変換器。
【請求項１８】
ネットワーク内で中間装置の外部にある、マルチキャストからユニキャストに変換する変換器であって、
前記中間装置と専用端末との間にユニキャスト・セッションを設定する手段と、
前記マルチキャスト・グループに関連するマルチキャスト・データ・パケットを識別する手段と、
前記ユーザ装置による前記中間装置と前記専用端末間のマルチキャスト・データ・パケットの伝送をモニタする手段と、
前記専用端末により前記マルチキャスト・データ・パケットを処理する手段と、
から成る、前記マルチキャストからユニキャストへの変換器。
【請求項１９】
目覚ましメッセージが前記専用端末で受信されるかどうかを確かめるために、テストする手段と、
前記既に設定されたユニキャスト・セッションを介しマルチキャスト・データ・パケットを受信し続けること、および前記中間装置により別の専用端末を選択しその専用端末と前記中間装置が新しいユニキャスト・セッションを設定すること、のうち１つを実行する手段と、
を更に具える、請求項１８記載のマルチキャストからユニキャストへの変換器。
【請求項２０】
マルチキャスト・データ・パケットの前記伝送が、ワイヤレス・ローカルエリア・ネットワーク、ケーブル・ネットワーク、およびブロードキャスト・サービスをサポートする３Ｇセル状ネットワークのうちの１つにおいて行われる、請求項１８記載のマルチキャストからユニキャストへの変換器。
【請求項２１】
前記マルチキャスト・グループ内のすべてのユーザ装置がモニタ・モードで動作し、前記専用の端末が通常モードで動作する、請求項１８記載のマルチキャストからユニキャストへの変換器。
【請求項２２】
複数の伝送レートをサポートするために、複数のユニキャスト・セッションが設定される、請求項１８記載のマルチキャストからユニキャストへの変換器。
【請求項２３】
前記複数のユニキャスト・セッションが前記中間装置と複数の専用端末との間にある、請求項２２記載のマルチキャストからユニキャストへの変換器。
【請求項２４】
前記中間装置が、アクセス・ポイント、ブリッジ、ルータおよびブルータのうちの１つである、請求項１８記載のマルチキャストからユニキャストへの変換器。
【請求項２５】
ネットワーク内でマルチキャストをユーザ装置で受信する方法であって、
マルチキャスト・グループに加入するリクエストを発するステップと、
前記マルチキャスト・グループに関連するマルチキャスト・データ・パケットを識別するステップと、
前記マルチキャスト・データ・パケットの伝送をモニタし、前記識別されたマルチキャスト・データ・パケットが、既に設定されたユニキャスト・セッションにおいて伝送されているかどうかを確かめるステップと、
既に設定されたユニキャスト・セッションが存在しなければ、ユニキャスト・セッションを設定し、マルチキャスト・データ・パケットを処理するステップと、
から成る、前記方法。
【請求項２６】
前記既に設定されたユニキャスト・セッションがまだ作動しているかどうかを確かめるためにテストするステップと、
前記既に設定されたユニキャスト・セッションでマルチキャスト・データ・パケットを受信し続けること、および新しいユニキャスト・セッションを設定すること、のうち１つを実行するステップと、
を更に具える、請求項２５記載の方法。
【請求項２７】
ネットワーク内でマルチキャスト伝送をユーザ装置で受信する方法であって、
ユニキャスト・セッションを専用の端末で設定するステップと、
マルチキャスト・グループに関連するマルチキャスト・データ・パケットを識別するステップと、
前記マルチキャスト・データ・パケットの伝送をモニタするステップと、
前記マルチキャスト・データ・パケットを前記専用端末で処理するステップと、
から成る、前記方法。
【請求項２８】
目覚ましメッセージが前記専用端末から受信されるかどうかを確かめるためにテストするステップと、
前記既に設定されたユニキャスト・セッションでマルチキャスト・データ・パケットを受信し続けること、別の専用端末を選択すること、新しいユニキャスト・セッションを設定すること、のうち１つを実行するステップと、
を具える、請求項２７記載の方法。
【請求項２９】
ネットワークの装置内に組み込まれる、マルチキャストからユニキャストに変換する変換器であって、
マルチキャスト・グループに加入するリクエストを受け入れる手段と、
前記マルチキャスト・グループに関連するマルチキャスト・データ・パケットを識別する手段と、
ユニキャスト・セッションを設定する手段と、
前記マルチキャスト・データ・パケットをユニキャスト・フレーム内に封入する手段と、
前記ユニキャスト・フレームを前記ユニキャスト・セッションで送る手段と、
から成る、前記マルチキャストからユニキャストへの変換器。
【請求項３０】
前記設定されたユニキャスト・セッションがまだ作動しているかどうかを確かめるためにテストする手段と、
マルチキャスト・データ・パケットを前記設定されたユニキャスト・セッションで伝送し続けること、および新しいユニキャスト・セッションを設定すること、のうち１つを実行する手段と、
を具える、請求項２９記載のマルチキャストからユニキャストへの変換器。
【請求項３１】
マルチキャスト・データ・パケットの前記伝送が、ワイヤレス・ローカルエリア・ネットワーク、ケーブル・ネットワーク、およびブロードキャスト・サービスをサポートする３Ｇセル状ネットワークのうちの１つにおいて行われる、請求項２９記載のマルチキャストからユニキャストへの変換器。
【請求項３２】
ネットワークにおいて装置の外部にある、マルチキャストからユニキャストに変換する変換器であって、
前記マルチキャスト‐ユニキャスト変換器でユニキャスト・セッションを設定する手段と、
マルチキャスト・グループに関連するマルチキャスト・データ・パケットを識別する手段と、
前記マルチキャスト・データ・パケットをユニキャスト・フレーム内に封入する手段と、
および前記ユニキャスト・セッションで前記ユニキャスト・フレームを送る手段と、
から成る、前記マルチキャストからユニキャストへの変換器。
【請求項３３】
目覚ましメッセージが受信されるかどうかを確かめるためにテストする手段と、
マルチキャスト・データ・パケットを前記設定されたユニキャスト・セッションで送ること、および新しいユニキャスト・セッションを設定すること、のうち１つを実行する手段と、
を更に具える、請求項３２記載のマルチキャストからユニキャストへの変換器。
【請求項３４】
複数の伝送レートをサポートするために、複数のユニキャスト・セッションが設定される、請求項３２記載のマルチキャストからユニキャストへの変換器。